(57)【要約】      （修正有）【課題】薄型で柔軟に変形をする支持バンド付携帯ＬＥＤライトを財布等から取出し、指、杖などに装着し、手元、足元などの周囲を照らすことができる照明装置を提供する。【解決手段】名刺サイズ前後の面積で、柔軟に変形をする樹脂材等の平面シート材を基板として用いて、該平面シートの該基板面に１個又は複数個のＬＥＤを備えた薄い携帯ライト、該携帯ライトは薄いことから名刺入れ、財布やバッグの片隅に入れることができる構造にして、前記基板の一方の面に支持バンドを設け、変形し、指、杖などに着脱自在にし、手元、足元を照明として利用できる。【選択図】図１
0003225073.tif 000002
【実用新案登録請求の範囲】
【請求項１】
柔軟に変形する基板に、ＬＥＤとその電源を備えた携帯ＬＥＤライトにおいて、前記基板の一方の面に指、杖等を着脱できる支持バンドを設けたことを特徴とする支持バンド付変形式携帯電灯。
【請求項２】
前記バンドの一方を固定、もう一方を着脱自在、又は両端を固定に設けたこと
を特徴とする請求項１記載の支持バンド付変形式携帯電灯。
【考案の詳細な説明】
【技術分野】
【０００１】
本考案は、柔軟に変形するＬＥＤ電灯の本体に指、杖等に着脱バンドを設けて、即座に手元、足元等を照らすＬＥＤ電灯に関する。
【背景技術】
【０００２】
従来の懐中電灯を用いて、ＬＥＤを用いて小型でペンダント型、あるいはＬＥＤを平面状の基板に設けた照明装置において厚みがあり、小さく薄い照明装置、さらに柔軟に変形をする構造に難点があり、筒状などに変形ができず、よって指、杖等に容易に着脱できない電灯である。
【０００３】
また、常時持ち歩くには円筒型、あるいは多角筒型に類する構造であることから、小さく細い形状であっても通勤用の定期入れ、財布、又は背広、ワイシャツ等の衣類に収め、携帯として身に着けるには抵抗感がある。
【０００４】
そこで、災害時の備えの一環として、懐中電灯が使いやすいように腕に固定できる腕時計型懐中電灯を提供する。懐中電灯に紐を設け、その紐の片一方に角カンを設け、もう一方にマジックテープを設けた腕時計型懐中電灯を特徴とする。
また、携帯を容易にした懐中電灯に紐を設けて、紐の片一方に角カンを設け、もう一方の紐の面に粘着テープを設けた腕時計型懐中電灯がある（例えば特許文献１参照）。
【０００５】
また、側部に発光体を保持するとともに、偏平状に形成された本体と、縁部に連結したループ状の弾性紐体とを備え上記本体の上面ないし側面に、上記弾性紐体のループを掛け回せる掛止手段を設ける一方、上記本体の下面に取付対象物に対接させられる対接部を設け、上記対接部を上記取付対象物に当接させた状態で、上記ループ状の弾性紐体を上記取付対象物及び上記掛止手段に掛け回して、上記本体を上記取付対象物に取り付けるように構成した、小型携帯電灯がある（例えば特許文献２参照）。
【０００６】
また、  電池ホルダーにボタン電池を収め収容ケースに挿脱自在にし、ボタン電池を係止、保持し、絶縁遮蔽板を収容ケースの開口部より挿抜することで電源のオン、オフも容易に操作できる。又は電池ホルダーを挿脱にすることで電源のオン、オフができるボタン電池ホルダー。
該ボタン電池ホルダーを用いて、名刺サイズ前後の面積で、柔軟に変形をする平面シート材を用いて、該平面シートとして、柔軟に変形をする樹脂材の平面シート面に１個又は複数個のＬＥＤ備えた携帯電灯、該携帯電灯の構造は厚さを数ｍｍ程度であることから、名刺入れ、財布やバックの片隅に入れることができ、緊急時に非常灯として用いる時、即座に取出し、変形を容易にして用いることができる変形式携帯電灯がある（例えば特許文献３参照）。
【先行技術文献】
【特許文献】
【０００７】
【特許文献１】特開２０１８−４５９８３号
【特許文献２】特開２００１-３６７７０１号
【特許文献３】実用登録３２２４０１２号
【考案の概要】
【考案が解決しようとする課題】
【０００８】
しかし、特許文献１の発明の腕時計型懐中電灯において、携帯としては有効であるが災難時に用いるとき、手元、足元等の全方向の焦点を照らすことに難点がる。
【０００９】
また、特許文献１、及び特許文献２においては、必要以外にポケット、あるいはバック等に収納し懐中電灯として持ち歩くには、円形状懐中電灯と同様に邪魔な要素があるものである。
【００１０】
また、これらの照明装置を携帯とすることにボタン電池ホルダーの形状がやや厚く、電源スイッチを設けることから薄い形状のライトにし、柔軟に曲げたりする構成には難があるものである。
【００１１】
また、特許文献３においては、薄く容易に変形ができることから携帯電灯としては極めて有効であるが、必要に応じて用いるとき指、杖などに装着することができない問題があるものである。
【課題を解決するための手段】
【００１２】
そこで本考案は上記の課題になされたもので、ＬＥＤとボタン電池ホルダーの電源部を用いて、名刺サイズ前後の面積で、柔軟に変形、曲げをする平面シート材を用いた基板として、柔軟に変形、曲げをする樹脂材の平面シートの基板面、あるいは柔軟に変形をする薄い金属板の面絶縁材を貼った基板として、その面に１個又は複数個のＬＥＤと電源部を備えた携帯電灯において、該携帯電灯の外面の一方の面に指、杖等に着脱できる支持バンド機能を設けることで、必要時に財布、名刺入れ等から即座位に取出し、指、杖などの身の回りに装着し、手元、足元の周囲を容易に照らすことができる。
また、構造は厚さを数ｍｍ程度であることから、名刺入れ、財布やバックの片隅に入れることができ、緊急時に非常灯として用いる時、即座に取出し、平面型の状態の照明として用いるか、円筒型、又は多角形等の筒状にして懐中電灯、あるいはペットボトル等の栓に差込、ランタンとすることを容易に変形ができる電灯器具を提供するものである。
【００１３】
上記の目的を達成するために、本考案は柔軟に変形する基板に、発光体、及びＬＥＤとその電源を備えた携帯電灯において、前記基板の一方の面に指、杖等を着脱できる支持バンドを設けたことを特徴とする。
【００１４】
前記支持バンドの一方を固定、もう一方を着脱自在、又は両端を固定に設けたことを特徴とする。
【考案の効果】
【００１５】
以上の説明から明らかのように、本考案にあっては次に列挙する効果が得られる。
【００１６】
ボタン型電池のサイズに合わせ薄くシンプルで柔軟に変形、曲がる構造の一方の面に設けた支持バンドに指、杖等に挿入し即座に周囲の照明、また夜釣りの足元、手元の照明として用いることができる。
【００１７】
また、災害、緊急時に照明の必要な時、即座に財布、ポケットなどから取出し、指等に装着し、非常灯として用いることができる。
【００１８】
また、必要時の照明、行楽、又は非常時等において、変形する照明器具以外にペットボトルに差込、又はビニール袋を覆うことで、容易にランタンとして利用ができる。
【００１９】
さらに、支持バンドの一方の着脱自在の端より、他のバンドと接続し、長いバンドに構成することで様々なところに装着することが可能である。
【図面の簡単な説明】
【００２０】
【図１】本考案の第一実施形態における着支持バンド付変形式携帯電灯の構成を示す図で、図ａ）は支持バンド付変形式携帯電灯の電池ホルダー側より見た上面図、図ｂ）は図ａ）の後面図、図ｃ）はＬＥＤ側よりの正面図である。
【図２】本考案の第一実施例における支持バンド付変形式携帯ＬＥＤ電灯を変形にした図で、図ａ）は変形した状態の後面図、図ｂ）は支持バンド付変形式携帯電灯正面図である。
【図３】本考案の第一実施例における支持バンド付変形式携帯電灯において、図２の状態から支持バンドに指を挿入した状態の上面図である。
【図４】本考案の第二実施例の図ａ）は支持バンドの一方の端に面ファスナーを設けた上面図、図ｂ）は支持バンドの面ファスナーを本体より離した状態の上面図である。
【考案を実施するための形態】
【００２１】
本考案の実施形態について図面を参照しながら説明する。
【００２２】
最初に、本考案の第一実施例の形態について、図１、図２及び図３を参照して説明する。
図１は本考案の第一実施形態における支持バンド付変形式携帯電灯の構成を示す図で、図ａ）は支持バンド付変形式携帯電灯の電池ホルダー側より見た上面図、図ｂ）は図ａ）の後面図、図ｃ）はＬＥＤ側よりの正面図である。
図２は本考案の第一実施例における支持バンド付変形式携帯電灯を変形にした図で、図ａ）はやや湾曲状に変形した状態の後面図、図ｂ）はやや湾曲状に変形した状態の正面図である。
図３は本考案の第一実施例における支持バンド付変形式携帯電灯において、図２の状態からやや湾曲状にし、支持バンドが弛んだ状態にして、支持バンドに指を挿入した状態の上面図である。
【００２３】
図１、図２及び図３に示すが如く、第一実施例の図１の支持バンド付変形式携帯電灯１は名刺サイズ程の面積で、柔軟に変形をする樹脂材等の平面シート材を基板として用いて、該平面シートの該基板面に１個又は複数個のＬＥＤ６とその電源装置である電池ホルダー７を備えた薄い携帯ライト、該携帯ライトは薄いことから名刺入れ、財布やバックの片隅に入れることができる構造にして、前記基板の一方の面の外装裏面４に支持バンド２を設け、はは該支持バンド２の両端5a、5bを固定し、指12、杖などを挿入するこが可能な支持バンド付変形懐中電灯１の構成である。
【００２４】
なお、電源装置においてはボタン電池９を保持し、電源供給とする電池ホルダー７と該電池ホルダー７にスッチ機能を備え、該スッチ機能はスライド絶縁板7aとスライド絶縁坂7aの端に設けたスライドスイッチ把手７を用いてスライド絶縁板7aをスライドすることで電源供給をオン、オフとすることができる。
【００２５】
したがって、上記の構造により支持バンド付変形式携帯電灯１を用いるとき、図１に示す状態より、図２に示すように支持バンド付変形式携帯電灯１の本体の外装表面の両端を支持しながら全体をやや湾曲状にし、支持バンド２が弛んだ状態にして、図３に示すように弛んだところより指12を挿入すると外装表面４、裏面３の反発力により指12、又は杖などを支持バンド２と外装裏面３により挟持し、落下せず支持バンド付変形式携帯電灯１を挟持する。
【００２６】
よって、指12等にバンド付変形式携帯電灯１を挟持した状態でスライドスイッチ把手７を引くことでスライド絶縁板7aがボタン電池の電極と電池ホルダー７の電極が接触し、電源がオンとなりＬＥＤ６に電源供給がなされＬＥＤ６点灯することで手元、足元を照明として利用することができる。
また、緊急時に非常灯として用いる時、即座に取出して用いることができる支持バンド付変形式携帯電灯１。
なお、指12、杖などより支持バンド付変形式携帯電灯１を外すことは挿着時の動作と同様にすることで着脱が容易である。
【００２７】
また、本考案の第二実施例における支持バンド付変形式携帯電灯１を図４の図ａ）、図ｂ）を参照して説明する。
【００２８】
図４の図ａ）は支持バンド付変形式携帯電灯１の外装裏面４と支持バンド2aの一方の一端に面ファスナー設けた図で、図ｂ）は支持バンド2aを剥がした状態で、支持バンド2aの一方端は固定5aし、もう一方端に面ファスナーフック10を設け、面ファスナーフック10を貼着する面ファスナーループ11を外装裏面４に図ｂ）に示すように設けて、面ファスナーフック10と面ファスナーループ11張着し、保持する。
【００２９】
したがって、支持バンド付変形式携帯電灯１に設けた支持バンド2aの一方端5aは固定取付し、もう一方端に面ファスナーフック10を設ける。
該面ファスナーフック10を外装裏面４に着脱自在にすることから、面ファスナーフック10の長さに合わせる位置に面ファスナーループ11を取付固定する。
支持バンド付変形式携帯電灯１に面ファスナーフック10、及び面ファスナーループ11を設けることで必要により着脱自在にし、指12以外に必要な物に挟持することができる。
【００３０】
また、支持バンド2aを他のバンドと接続し、長い支持バンドを形成し、支持バンド付変形式携帯電灯１を太い支持物に固定し、周囲を照らすことも可能である。
【００３１】
なお、支持バンド2aの一方の端を着脱自在において、面ファスナー以外にフック等の様々な方法を用いることは可能である。
【符号の説明】
【００３２】
１は支持バンド付変形式携帯電灯
２：2aは支持バンド
３は外装表面側
４は外装裏面側
５ａはバンド固定部
５ｂはバンド固定部
６はＬＥＤ
７は電池ホルダー
7aはスライド絶縁板
８はスライドスイッチ把手
９はボタン電池
10は面ファスナーフック状
11は面ファスナーループ状
12は指
【図１】
0003225073.tif 000003
【図２】
0003225073.tif 000004
【図３】
0003225073.tif 000005
【図４】
0003225073.tif 000006